(57)【要約】      （修正有）【課題】住宅の健康で快適な室内環境、特に室内に給気する外気及び循環する内気を浄化する加湿・炭換気システムを提供する。【解決手段】本加湿・炭換気システムは、屋外と連通した給気ダクト１並びに排気ダクト２に接続されると共に室内と連通する吸気ダクト３を備えた熱交換器ユニット４と、該熱交換器ユニット４の下流側に連通ダクト５により接続された木炭ボックス６と、該木炭ボックス６の下流側に連通ダクト７により接続された加湿ボックス８と、該加湿ボックス８の下流側から各室へ連通された吹出しダクト９とから構成されてなる。【選択図】図１
0003153453.tif 000002
【実用新案登録請求の範囲】
【請求項１】
屋外と連通した給気ダクト並びに排気ダクトに接続されると共に室内と連通する吸気ダクトを備えた熱交換器ユニットと、該熱交換器ユニットの下流側に連通ダクトにより接続された木炭ボックスと、該木炭ボックスの下流側に連通ダクトにより接続された加湿ボックスと、該加湿ボックスの下流側から各室へ連通された吹出しダクトとから構成されてなることを特徴とする加湿・炭換気システム。
【請求項２】
前記熱交換器ユニットは、外気と内気とが対向流で熱交換する全熱交換タイプの熱交換器であることを特徴とする請求項１記載の加湿・炭換気システム。
【請求項３】
前記木炭ボックスは、直方体の箱体状をなし、上流側に空気取入れ口、下流側に空気吹出し口を設けると共に、側面又は天井面に点検口扉を設け、さらに樋状に形成した炭入れ部材を設け、該炭入れ部材に棒状木炭を横置き状に積み重ねて収納し、空気の流通を可能とするように前記炭入れ部材を縦横に複数列積み重ねて木炭ボックス内全体に充填することを特徴とする請求項１記載の加湿・炭換気システム。
【請求項４】
前記加湿ボックスは、立方体の箱状をなし、上面にミスト発生器が備えられていることを特徴とする請求項１記載の加湿・炭換気システム。
【考案の詳細な説明】
【技術分野】
【０００１】
本考案は、健康で快適な住宅の室内環境、特に外気を浄化して室内に給気する加湿・炭換気システムに関する。
【背景技術】
【０００２】
従来、建物の室内に調湿機能材料を配置し、空気中の湿分の吸着と吸着した湿分を外気に加熱放出することが可能な健康で快適な建物内の循環調湿機構が知られている（特許文献１を参照）。
この公知技術は、建物内に空気の循環管路を設け、該循環管路の途中に、空気中の湿分の吸着と該吸着した湿分を外気に加熱放出する機能を持つ調湿装置を設け、該湿分の吸着はケーシングに充填した多孔質の吸湿材で行い、吸着した湿分は建物外に設けた太陽熱交換機で加熱した屋外空気で加熱放出する建物内の循環調湿機構である。
【０００３】
また、家屋内に供給する空気の相対湿度を効率的に調整することにより、夏季においては床下空間の環境を改善するとともに冷房費用を節減することができ、また冬季においては暖房費用を節減するとともに室内の過乾燥を防止することができる調湿機能付換気システムが知られている（特許文献２を参照）。
この公知技術は、家屋内に外気を導入する給気開口及び該給気開口に接続させた給気経路と、家屋内の各室内の空気を室外へ排出する排気開口及び該排気開口に接続させた排気経路と備える高気密住宅の換気システムにおいて、前記給気経路としてまず床下空間に外気を導入し、該床下空間において前記排気経路との間で、水蒸気交換を行った後、前記床下空間の空気を家屋内に循環させる調湿機能付換気システムである。
【先行技術文献】
【特許文献】
【０００４】
【特許文献１】特開２００５−１８８７９３号公報
【特許文献２】特開２００４−２６３９７１号公報
【考案の概要】
【考案が解決しようとする課題】
【０００５】
本考案は、健康で快適な住宅の室内環境、特に室内に導入する外気及び室内循環する内気を木炭ボックスにより浄化する加湿・炭換気システムを提供することを目的とする。
【課題を解決するための手段】
【０００６】
本考案の加湿・炭換気システムは、屋外と連通した給気ダクト並びに排気ダクトに接続されると共に室内と連通する吸気ダクトを備えた熱交換器ユニットと、該熱交換器ユニットの下流側に連通ダクトにより接続された木炭ボックスと、該木炭ボックスの下流側に連通ダクトにより接続された加湿ボックスと、該加湿ボックスの下流側から各室へ連通された吹出しダクトとから構成されてなるものである。
前記熱交換器ユニットは、外気と内気とが対向流で熱交換する全熱交換タイプの熱交換器である。
前記木炭ボックスは、直方体の箱体状をなし、上流側に空気取入れ口、下流側に空気吹出し口を設けると共に、側面又は天井面に点検口扉を設け、さらに樋状に形成した炭入れ部材を設け、該炭入れ部材に棒状木炭を横置き状に積み重ねて収納し、空気の流通を可能とするように前記炭入れ部材を縦横に複数列積み重ねて木炭ボックス内全体に充填するものである。
前記加湿ボックスは、立方体の箱状をなし、上面にミスト発生器が備えられているものである。
【考案の効果】
【０００７】
本考案の加湿・炭換気システムは、屋外と連通した給気ダクト並びに排気ダクトに接続されると共に室内と連通する吸気ダクトを備えた熱交換器ユニットと、該熱交換器ユニットの下流側に連通ダクトにより接続された木炭ボックスと、該木炭ボックスの下流側に連通ダクトにより接続された加湿ボックスと、該加湿ボックスの下流側から各室へ連通された吹出しダクトとから構成されてなるため、棒状木炭の臭気成分除去を伴う空気循環を行うことにより、外から室内へフレッシュな空気が送られ、冬季の乾燥時には潤い加湿が行われ、夏季の高湿時にはじめじめカットが行われるため、健康で快適な住環境が整う。
【図面の簡単な説明】
【０００８】
【図１】本考案の加湿・炭換気システムの概略構成図である。
【図２】木炭ボックスの（ａ）正面図、（ｂ）側面図である。
【図３】炭入れ部材の概略説明図である。
【図４】本考案の加湿・炭換気システムの使用状態を示す平面図である。
【考案を実施するための形態】
【０００９】
本考案の加湿・炭換気システムの一実施例を添付図面に基づいて、以下に説明する。
図１に示すように、本考案の加湿・炭換気システムは、屋外と連通した給気ダクト１並びに排気ダクト２に接続されると共に室内と連通する吸気ダクト３を備えた熱交換器ユニット４と、該熱交換器ユニット４の下流側に連通ダクト５により接続された木炭ボックス６と、該木炭ボックス６の下流側に連通ダクト７により接続された加湿ボックス８と、該加湿ボックス８の下流側から各室へ連通された吹出しダクト９とから構成されてなる。
【００１０】
前記熱交換器ユニット４は、外気と内気とが対向流で熱交換する全熱交換タイプの熱交換器で、室内から吸気ダクト３を介して吸い込んだ内気の一部を屋外へ排気ダクト２を介して排気する際、同時に給気ダクト１から吸い込んだ外気と全熱交換、すなわち温度及び湿度を交換して排気する。全熱交換された外気と前記内気の残部とが熱交換器ユニット４内で合流されて下流側へ給送される。
【００１１】
前記木炭ボックス６は、図２（ａ）に示すように直方体の箱体状をなし、上流側に空気取入れ口１０、下流側に空気吹出し口１１を設けると共に、側面又は天井面に点検口扉１２を設けて木炭の入れ替えやその他メンテナンスのために利用する。図３に示すように樋状に形成した炭入れ部材１３を設け、該炭入れ部材１３に棒状木炭１４を横置き状に積み重ねて収納する。図２（ｂ）に示すように前記木炭ボックス６内には、空気の流通を可能とするように前記炭入れ部材１３を縦横に複数列積み重ねて木炭ボックス６内全体に充填する。
棒状木炭１４の特徴は、多孔体で、その内部表面積が大きく、その内部表面積には多数の木材熱分解残基があって、特有の吸着現象が見られる。木炭に空気を通したとき、木炭はアンモニア系ガス（臭気成分）を吸着しやすく、ペットの臭いやタバコの煙などもよく吸着する。
【００１２】
前記加湿ボックス８は、立方体の箱状をなし、上面にミスト発生器１５が備えられており、該ミスト発生器１５は前記木炭ボックス６から流下してきた乾燥空気を加湿する。また前記加湿ボックス８は、空気分岐ボックスとなっており、各室内へ新鮮な空気を吹出す複数個の吹出しダクト９が接続されている。なお、湿度が十分の場合には、前記ミスト発生器１５を作動させない。
【００１３】
なお、室内の換気不足の場合には、前記連通ダクト５の途中に中間ダクトファン１６を設け、室内からの内気を吸引ダクト１７を介して前記中間ダクトファン１６に吸い込み、前記熱交換器ユニット４からの新鮮空気と合流させて前記木炭ボックス６へ送風するようにする。
【００１４】
つぎに、本考案の加湿・炭換気システムの操作動作を添付図面に基づいて、以下に説明する。
図４に示すように、各室内の汚れた空気は負圧となっているトイレ側へ流れ、トイレ天井面の吸込み口から吸気ダクト３を介して熱交換器ユニット４へ吸込まれる。
吸込まれた内気は、一部を屋外へ排気ダクト２を介して屋外へ排気され、残部を外気と合流して室内に戻される。内気の一部を屋外へ排気ダクト２を介して排気する際、同時に給気ダクト１から吸い込んだ外気と全熱交換する。
全熱交換された外気と前記内気の残部とが熱交換器ユニット４内で合流されて下流側へ給送され、木炭ボックス６へ供給される。
木炭ボックスでは、空気取入れ口１０からの空気が炭入れ部材１３の棒状木炭１４内表面に接触しながら空気吹出し口１１へ送られ、その際、外気や内気の臭気成分が棒状木炭１４に吸着される。
臭気成分が除去された新鮮な空気は、加湿ボックス８へ送られ、空気が乾燥している場合にはミスト発生器１５によりミストが吹出されて加湿され、それぞれの吹出しダクト９を介して各室内の天井面の吹出し口から吹出される。
このように棒状木炭１４の臭気成分除去を伴う空気循環を行うことにより、外から室内へフレッシュな空気が送られ、冬季の乾燥時には潤い加湿が行われ、夏季の高湿時にはじめじめカットが行われるため、健康で快適な住環境が整う。
【符号の説明】
【００１５】
１  給気ダクト
２  排気ダクト
３  吸気ダクト
４  熱交換器ユニット
５  連通ダクト
６  木炭ボックス
７  連通ダクト
８  加湿ボックス
９  吹出しダクト
１０  空気取入れ口
１１  空気吹出し口
１２  点検口扉
１３  炭入れ部材
１４  棒状木炭
１５  ミスト発生器
１６  中間ダクトファン
１７  吸引ダクト
【図１】
0003153453.tif 000003
【図２】
0003153453.tif 000004
【図３】
0003153453.tif 000005
【図４】
0003153453.tif 000006